(57)【要約】【課題】用事がある場所に通り掛かると、その用事を思い出すことができる。【解決手段】携帯電話１０は、制御部１２，操作部１３，通話／通信部１４，マイク１５，スピーカ１６，バイブレータ１７，ＬＣＤ１８，メモリ１９，ＧＰＳユニット２０からなる。予めＫＤＢ１９ａを作成しておく。操作部１３のリマインダ設定キーを押圧操作し、リマインダ設定の表示画面を表示させる。キーワード選択の項目を選択すると、制御部１２はＫＤＢ１９ａからキーワードを読み出し、キーワード選択の表示画面を表示するから、所望のキーワードを選択する。キーワードに対応したメッセージを入力し、バイブレーションの警報手段を選択する。制御部１２は、ＧＰＳユニット２０から入力されるＧＰＳ情報が設定された位置座標に一致すると、バイブレータ１７を駆動する同時にＭＤＢ１９ｂを参照し、キーワードに対応づけられたメッセージをＬＣＤ１８に表示する。【選択図】図１
2008193590.tif 000002
【特許請求の範囲】
【請求項１】
現在地の位置データを取得する現在地データ取得部と、
予め地理上の所定位置を指定することにより前記所定位置を示す位置データまたはこの位置データを含む所定エリアのエリアデータが設定される位置指定部と、
前記現在地の位置データが前記所定位置の位置データに一致するか否かまたはエリアデータに含まれるか否かを判定する判定部と、
この判定部により現在地の位置データが前記所定位置の位置データに一致するかエリアデータに含まれると判定された場合に警報を発する警報部と
からなることを特徴とするリマインダ装置。
【請求項２】
現在地の位置データを取得する現在地データ取得部と、
予め地理上の所定位置を指定することにより前記所定位置を示す位置データまたはこの位置データを含む所定エリアのエリアデータが設定される位置指定部と、
前記所定位置に関連するメッセージを入力して記憶部に記憶する入力部と、
前記現在地の位置データが前記所定位置の位置データに一致するか否かまたはエリアデータに含まれるか否かを判定する判定部と、
この判定部により現在地の位置データが前記所定位置の位置データに一致するかエリアデータに含まれると判定された場合に警報を発するとともに記憶部からメッセージを読み出して表示またはメッセージを読み上げる警報部と
からなることを特徴とするリマインダ装置。
【請求項３】
現在地の位置データを取得する現在地データ取得部と、
予め設定されたキーワードと地理上の位置データまたはこの位置データを含む所定エリアのエリアデータとを対応づけるデータベースと、
前記キーワードを指定するキーワード指定部と、
前記現在地の位置データが前記指定されたキーワードに対応する位置データに一致するか否かまたはエリアデータ内に含まれるか否かを判定する判定部と、
この判定部により現在地の位置データが前記指定されたキーワードに対応する位置データと一致するかエリアデータ内に含まれると判定された場合に警報を発する警報部と
からなることを特徴とするリマインダ装置。
【請求項４】
現在地の位置データを取得する現在地データ取得部と、
予め設定されたキーワードと地理上の位置データまたはこの位置データを含む所定エリアのエリアデータとを対応づけるデータベースと、
前記キーワードを指定するキーワード指定部と、
前記キーワードに関連するメッセージを入力して記憶部に記憶する入力部と、
前記現在地の位置データが前記指定されたキーワードに対応する位置データに一致するか否かまたはエリアデータ内に含まれるか否かを判定する判定部と、
この判定部により現在地の位置データが前記指定されたキーワードに対応する位置データと一致するかエリアデータ内に含まれると判定された場合に、警報を発するとともに、前記メッセージを記憶部から読み出して表示または読み上げる警報部と
からなることを特徴とするリマインダ装置。
【請求項５】
前記データベースは、１個のキーワードに対して、複数個の地理上の位置データまたは複数個の地理上の所定エリアのエリアデータが対応づけられていることを特徴とする請求項３または４記載のリマインダ装置。
【請求項６】
前記現在地データ取得部が過去に取得した現在地の位置データを過去の行動履歴として記録する行動履歴記録部を設け、前記キーワード指定部は、前記キーワードの候補を行動履歴の範囲内で表示部に表示することを特徴とする請求項３ないし５いずれか記載のリマインダ装置。
【請求項７】
現在地の位置データを取得する現在地データ取得部と、
通信ネットワーク上のサーバに設けられ、予め設定されたキーワードと地理上の位置データまたはこの位置データを含む所定エリアのエリアデータとを対応づけるデータベースと、
通信ネットワークを介して前記サーバと通信を行なう通信部と、
前記キーワードを指定するキーワード指定部と、
このキーワード指定部によってキーワードが指定されると、前記通信部を介してサーバのデータベースにアクセスし、前記現在地の位置データが前記指定されたキーワードに対応する位置データに一致するか否かまたはエリアデータ内に含まれるか否かを判定する判定部と、
この判定部により現在地の位置データが前記指定されたキーワードに対応する位置データと一致するかエリアデータ内に含まれると判定された場合に警報を発する警報部と
からなることを特徴とするリマインダシステム。
【請求項８】
現在地の位置データを取得する現在地データ取得部と、
通信ネットワーク上のサーバに設けられ、予め設定されたキーワードと地理上の位置データまたはこの位置データを含む所定エリアのエリアデータとを対応づけるデータベースと、
通信ネットワークを介して前記サーバと通信を行なう通信部と、
前記キーワードを指定するキーワード指定部と、
前記キーワードに関連するメッセージを入力して記憶部に記憶する入力部と、
前記キーワード指定部によってキーワードが指定されると、前記通信部を介してサーバのデータベースにアクセスし、前記現在地の位置データが前記指定されたキーワードに対応する位置データに一致するか否かまたはエリアデータ内に含まれるか否かを判定する判定部と、
この判定部により現在地の位置データが前記指定されたキーワードに対応する位置データと一致するかエリアデータ内に含まれると判定された場合に、警報を発するとともに、前記メッセージを記憶部から読み出して表示または読み上げる警報部と
からなることを特徴とするリマインダシステム。
【請求項９】
前記データベースは、１個のキーワードに対して、複数個の地理上の位置データまたは複数個の地理上の所定エリアのエリアデータが対応づけられていることを特徴とする請求項７または８記載のリマインダシステム。
【請求項１０】
前記現在地データ取得部が過去に取得した現在地の位置データを過去の行動履歴として記録する行動履歴記録部を設け、前記キーワード指定部は、前記キーワードの候補を行動履歴の範囲内で表示部に表示することを特徴とする請求項７ないし９いずれか記載のリマインダシステム。
【発明の詳細な説明】
【技術分野】
【０００１】
本発明は、リマインダ装置及びリマインダシステムに関し、更に詳しくは用事がある場所でその用事を思い出させてくれるリマインダ装置及びリマインダシステムに関するものである。
【背景技術】
【０００２】
予め設定した時刻になるとアラームやメロディを鳴らして知らせてくれるリマインダ装置としては、目覚まし時計が周知である。また、パーソナルコンピュータ上で稼働し、予め設定した日時になると、モニタ画面上にポップアップして予定を知らせてくるリマインダ機能付きのカレンダーソフトウエアも周知である。
【０００３】
また、列車やバスなどに乗って移動中に、所望の降車駅や降車場所で警報を発する携帯乗り越し防止器が知られている（例えば特許文献１）。この携帯乗り越し防止器は、降車駅の情報が入力されている乗車券を改札機に挿入すると、改札機から電波が発信され、本器に入力される。携帯乗り越し防止器は、ＧＰＳ測位システムを利用して走行車両の時々刻々に変化する位置情報から搭乗している走行車両の進行方向を算出し、降車駅の所定距離手前の位置になると、警報を発し、降車駅を知らせる。
【０００４】
なお、ＧＰＳ測位システムは、地球を周回している２４個のＧＰＳ衛星のうち４個以上のＧＰＳ衛星からの電波をアンテナで受信し、この受信した電波に基づき、現在地の位置データ（緯度・経度）を算出する（４個以上のＧＰＳ衛星からの距離を同時に知ることにより現在地を算出する）。
【特許文献１】特開２００２−２０４４６７号公報
【発明の開示】
【発明が解決しようとする課題】
【０００５】
日常生活において、例えば、銀行で振込みをする用事があるが、わざわざ行くのは面倒だから、買物に出たついでに銀行に寄ろうと思うということはよくある。しかし、いざ買物に出たら、買物に夢中になってしまい、銀行の近くまで行ったのにもかかわらず、うっかり銀行に寄るのを忘れてしまったということが多い。そこで、用事がある場所まで行ったら、用事を思い出させてくれる装置がほしいという要望がある。
【０００６】
本発明は、上記のような問題点を解決するためになされたもので、用事がある場所に通り掛かると、その用事を思い出させてくれるリマインダ装置及びリマインダシステムを提供することを目的とする。
【課題を解決するための手段】
【０００７】
本発明のリマインダ装置は、現在地の位置データを取得する現在地データ取得部と、予め地理上の所定位置を指定することにより前記所定位置を示す位置データまたはこの位置データを含む所定エリアのエリアデータが設定される位置指定部と、前記現在地の位置データが前記所定位置の位置データに一致するか否かまたはエリアデータに含まれるか否かを判定する判定部と、この判定部により現在地の位置データが前記所定位置の位置データに一致するかエリアデータに含まれると判定された場合に警報を発する警報部とからなることを特徴とする。
【０００８】
また、現在地の位置データを取得する現在地データ取得部と、予め地理上の所定位置を指定することにより前記所定位置を示す位置データまたはこの位置データを含む所定エリアのエリアデータが設定される位置指定部と、前記所定位置に関連するメッセージを入力して記憶部に記憶する入力部と、前記現在地の位置データが前記所定位置の位置データに一致するか否かまたはエリアデータに含まれるか否かを判定する判定部と、この判定部により現在地の位置データが前記所定位置の位置データに一致するかエリアデータに含まれると判定された場合に警報を発するとともに記憶部からメッセージを読み出して表示またはメッセージを読み上げる警報部とからなることを特徴とする。
【０００９】
また、現在地の位置データを取得する現在地データ取得部と、予め設定されたキーワードと地理上の位置データまたはこの位置データを含む所定エリアのエリアデータとを対応づけるデータベースと、前記キーワードを指定するキーワード指定部と、前記現在地の位置データが前記指定されたキーワードに対応する位置データに一致するか否かまたはエリアデータ内に含まれるか否かを判定する判定部と、この判定部により現在地の位置データが前記指定されたキーワードに対応する位置データと一致するかエリアデータ内に含まれると判定された場合に警報を発する警報部とからなることを特徴とする。
【００１０】
また、現在地の位置データを取得する現在地データ取得部と、予め設定されたキーワードと地理上の位置データまたはこの位置データを含む所定エリアのエリアデータとを対応づけるデータベースと、前記キーワードを指定するキーワード指定部と、前記キーワードに関連するメッセージを入力して記憶部に記憶する入力部と、前記現在地の位置データが前記指定されたキーワードに対応する位置データに一致するか否かまたはエリアデータ内に含まれるか否かを判定する判定部と、この判定部により現在地の位置データが前記指定されたキーワードに対応する位置データと一致するかエリアデータ内に含まれると判定された場合に、警報を発するとともに、前記メッセージを記憶部から読み出して表示または読み上げる警報部とからなることを特徴とする。
【００１１】
また、前記データベースは、１個のキーワードに対して、複数個の地理上の位置データまたは複数個の地理上の所定エリアのエリアデータが対応づけられていることを特徴とする。また、前記現在地データ取得部が過去に取得した現在地の位置データを過去の行動履歴として記録する行動履歴記録部を設け、前記キーワード指定部は、前記キーワードの候補を行動履歴の範囲内で表示部に表示することを特徴とする。
【００１２】
本発明のリマインダシステムは、現在地の位置データを取得する現在地データ取得部と、通信ネットワーク上のサーバに設けられ、予め設定されたキーワードと地理上の位置データまたはこの位置データを含む所定エリアのエリアデータとを対応づけるデータベースと、通信ネットワークを介して前記サーバと通信を行なう通信部と、前記キーワードを指定するキーワード指定部と、このキーワード指定部によってキーワードが指定されると、前記通信部を介してサーバのデータベースにアクセスし、前記現在地の位置データが前記指定されたキーワードに対応する位置データに一致するか否かまたはエリアデータ内に含まれるか否かを判定する判定部と、この判定部により現在地の位置データが前記指定されたキーワードに対応する位置データと一致するかエリアデータ内に含まれると判定された場合に警報を発する警報部とからなることを特徴とする。
【００１３】
また、現在地の位置データを取得する現在地データ取得部と、通信ネットワーク上のサーバに設けられ、予め設定されたキーワードと地理上の位置データまたはこの位置データを含む所定エリアのエリアデータとを対応づけるデータベースと、通信ネットワークを介して前記サーバと通信を行なう通信部と、前記キーワードを指定するキーワード指定部と、前記キーワードに関連するメッセージを入力して記憶部に記憶する入力部と、前記キーワード指定部によってキーワードが指定されると、前記通信部を介してサーバのデータベースにアクセスし、前記現在地の位置データが前記指定されたキーワードに対応する位置データに一致するか否かまたはエリアデータ内に含まれるか否かを判定する判定部と、この判定部により現在地の位置データが前記指定されたキーワードに対応する位置データと一致するかエリアデータ内に含まれると判定された場合に、警報を発するとともに、前記メッセージを記憶部から読み出して表示または読み上げる警報部とからなることを特徴とする。
【００１４】
また、前記データベースは、１個のキーワードに対して、複数個の地理上の位置データまたは複数個の地理上の所定エリアのエリアデータが対応づけられていることを特徴とする。また、前記現在地データ取得部が過去に取得した現在地の位置データを過去の行動履歴として記録する行動履歴記録部を設け、前記キーワード指定部は、前記キーワードの候補を行動履歴の範囲内で表示部に表示することを特徴とする。
【発明の効果】
【００１５】
本発明のリマインダ装置及びリマインダシステムによれば、現在地データ取得部によって取得された現在地の位置データが予め設定した所定位置の位置データまたはエリアデータに一致した際に警報を発するようにしたので、用事がある場所に通り掛かると、その用事を思い出すことができる。
【００１６】
また、現在地データ取得部によって取得された現在地の位置データが予め設定した所定位置の位置データまたはエリアデータに一致した際に警報を発するとともにメッセージを表示または読み上げるようにしたので、用事がある場所に通り掛かると、その用事を思い出すことができる。
【００１７】
また、キーワードを指定することにより所定位置の位置データまたはエリアデータが設定されるようにしたので、所定位置の位置データを簡単に設定できる。
【００１８】
また、１個のキーワードに対して複数個の位置データまたはエリアデータが対応づけられているので、用事を思い出させてくれるチャンスが多くなり、用事を済ますことがより確実にできる。
【００１９】
また、キーワードの候補を過去の行動履歴の範囲内で表示するので、指定する可能性が高いキーワードのみが表示され、キーワードの指定がすばやく簡単にできる。
【発明を実施するための最良の形態】
【００２０】
本発明の第１実施形態であるリマインダ機能付きの携帯電話は、用事のある特定の場所を示すキーワードと、用事の内容を示すメッセージとを予め入力または選択しておくと、携帯電話を携帯したユーザがその特定の場所の近くまで行った時に、バイブレーションやビープ音でユーザに知らせるとともに、ＬＣＤ（液晶表示パネル）の画面にメッセージを表示する。これにより、ユーザが用事をうっかり忘れることが防止される。
【００２１】
携帯電話１０は、図１に示すように、制御部１２，操作部１３，通話／通信部１４，マイク１５，スピーカ１６，バイブレータ１７，ＬＣＤ１８，メモリ１９，現在地データ取得部としてのＧＰＳユニット２０から構成される。制御部１２は、携帯電話１０の各部を制御する。
【００２２】
操作部１３は、図２に示すように、「０」〜「９」の数字キー１３ａ、通話開始キー１３ｂ、通話終了キー１３ｃ，決定キー１３ｄ，キャンセルキー１３ｅ，カーソルキー１３ｆなどの他、リマインダ機能を使用するためのリマインダ設定を開始する際に押圧操作されるリマインダ設定キー１３ｇからなる。
【００２３】
通話／通信部１４は、マイク１５から入力された音声をアンテナ２１から送信する電波に変換したり、アンテナ２１が受信した電波を変換してスピーカ１６から音声を出力したりする通話制御を行う。また、通話／通信部１４が通話や電子メールの電波を受信した際には、スピーカ１６から着信音を出力したり、バイブレータ１７を駆動して振動を発する。
【００２４】
ＧＰＳユニット２０は、アンテナ２０ａとＧＰＳ算出部２０ｂからなる。アンテナ２０ａは、地球を周回している２４個のＧＰＳ衛星２４のうち４個以上からの電波を受信している。この受信した電波は、ＧＰＳ算出部２０ｂに送られる。ＧＰＳ算出部２０ｂには、入力された電波に基づき、現在位置の位置データ（緯度・経度）を算出する算出プログラム（４個のＧＰＳ衛星２４からの距離を同時に知ることにより現在位置を算出する）が記憶されており、ＧＰＳ算出部２０ｂから出力された位置データは制御部１２に入力される。なお、図１では、図面の煩雑を避けるため、４個のＧＰＳ衛星２４のうち１個のみを図示している。
【００２５】
メモリ１９には、ＧＰＳユニット２０によって取得された現在地の位置データであるＧＰＳ情報がユーザの過去の行動履歴として記憶される他、用事がある特定の場所を示すキーワードとその位置データである位置座標との対応づけを示すキーワードデータベース（以下、ＫＤＢと略記する）１９ａが記憶されている。また、キーワードと用事を思い出させるメッセージとを対応づけるメッセージデータベース（以下、ＭＤＢと略記する）１９ｂが記憶されている。
【００２６】
ＫＤＢ１９ａを作成するには、まず、ユーザが特定の場所に行った際に、携帯電話１０のリマインダ設定キー１３ｇを押圧操作して、図２に示すように、リマインダ設定の表示画面１８ａを表示させる。表示画面１８ａには、キーワードＤＢ作成，キーワード選択，メッセージ入力，警報手段選択の各項目２５ａ〜２５ｄが表示される。
【００２７】
デフォルトでは、一番上のキーワードＤＢ作成の項目２５ａにカーソル２６が合っており、そのまま決定キー１３ｄを押圧操作すると、ＬＣＤ１８の表示が切り換わり、図３に示すように、キーワードＤＢ作成の表示画面１８ｂが表示される。ここで、特定の場所（この場合、ユーザが携帯電話１０を保持して立っている場所）を表わすキーワード２７を入力欄２８に入力する。これにより、ＧＰＳユニット２０からＧＰＳ情報が制御部１２に入力され、制御部１２はＧＰＳ情報による位置座標とキーワード２７とを対応づけてＫＤＢ１９ａをメモリ１９に作成する。
【００２８】
「特定の場所」とは、携帯電話１０のリマインダ機能を作動させたい場所であるから、例えばキーワード２７が「○○銀行△△支店」であっても、○○銀行△△支店の内部よりも、例えば、ユーザが通る可能性が高い○○銀行△△支店の近くの歩道で、キーワード２７の入力を行なう方が好ましい。
【００２９】
ＫＤＢ１９ａの一例を示す図４において、「○○銀行△△支店」，「品川駅」，「自宅」，「東京都港区西麻布１丁目」，・・・のキーワード２７ａ，２７ｂ，２７ｃ，２７ｄ，・・・は、「34.1N，138.1E」，「35.3N，139.1E」，「36.2N，140.1E」，「36.2N，140.1E」，・・・の位置座標２９ａ，２９ｂ，２９ｃ，２９ｄ，・・・に対応づけされている。なお、キーワード２７ｃ，２７ｄは、同じ場所であることを示す。
【００３０】
ＫＤＢ１９ａからキーワード２７を選択するには、まずリマインダ設定の表示画面１８ａからキーワード選択の項目２５ｂにカーソル２９を合わせて決定キー１３ｄを押圧操作する。これにより、図５に示すように、キーワード選択の表示画面１８ｃが表示される。表示画面１８ｃには、これまで入力した複数個のキーワード２７が一覧表示されるから、カーソルキー１３ｆを操作して所望のキーワード２７にカーソル３０を合わせ、決定キー１３ｄを押す。
【００３１】
キーワード２７の選択が完了すると、ＬＣＤ１８の表示が切り換わり、リマインダ設定の表示画面１８ａが表示されるから、メッセージ入力の項目２５ｃにカーソル２９を合わせて決定キー１３ｄを押圧操作する。これにより、図６に示すように、メッセージ入力の表示画面１８ｄがＬＣＤ１８に表示される。
【００３２】
表示画面１８ｄの上方部には、既に選択したキーワード２７ａが表示されており、これを見ながら、操作部１３を操作して、入力欄３２に、キーワード２７ａに対応する用事を思い出すような任意のメッセージ３４を入力する。なお、制御部１２は、入力欄３２への入力中に、同じ文言のメッセージ３４が既にＭＤＢ１９ｂに存在する場合には、これを読み出して入力欄３２に表示するから、入力の手間が軽減される。
【００３３】
メッセージ３４を入力欄３２に入力すると、キーワード２７とメッセージ３４とが自動的に対応づけられて、図７に示すようなＭＤＢ１９ｂが作成される。本実施形態では、キーワード２７ａ，２７ｂ，２７ｃ，２７ｄ，・・・は、「お金を引き出す」，「書籍「特許入門」を購入する」，「佐藤さんに借りてた本を鞄に入れる」，「植木に水をやる」，・・・のメッセージ３４ａ，３４ｂ，３４ｃ，３４ｄ，・・・に対応づけされている。
【００３４】
メッセージ３４の入力が完了すると、ＬＣＤ１８の表示が切り換わり、リマインダ設定の表示画面１８ａが表示されるから、警報手段選択の項目２５ｄにカーソル２９を合わせて決定キー１３ｄを押圧操作する。これにより、図８に示すような表示画面１８ｅが表示される。
【００３５】
表示画面１８ｅには、既に設定した「○○銀行△△支店」のキーワード２７ａ，「お金を引き出す」のメッセージ３４ａが確認のために表示されているとともに、「○○銀行△△支店」に行った際に、ユーザに知らせるための警報手段３７を選択する警報選択欄３８が表示される。
【００３６】
警報選択欄３８には、「バイブレーション」，「ビープ音」の警報手段３７ａ，３７ｂが表示されている。ユーザは、カーソルキー１３ｆを操作して、所望の方法，例えば「バイブレーション」という警報手段３７ａにカーソル４０を合わせ、決定キー１３ｄを押圧操作する。
【００３７】
ＬＣＤ１８の表示が切り換わり、図９に示すような確認を促す表示画面１８ｆが表示される。これでよければ、更に決定キー１３ｄを押圧操作することにより、リマインダ設定が完了し、ＬＣＤ１８の表示が通常の待ち受け画面（図示せず）に切り換わる。
【００３８】
このように構成された携帯電話１０のリマインダ機能を使用するには、図１０のフローチャートに示すように、予め、○○銀行△△支店の近くなどの特定の場所に行った際に、キーワードＤＢ作成の表示画面１８ｂを呼び出し、その場所を表わす任意のキーワード２７を入力してＫＤＢ１９ａを作成しておく（ｓｔ１）。
【００３９】
リマインダ設定を行なうには、まずリマインダ設定キー１３ｇを押圧操作して、リマインダ設定の表示画面１８ａを表示させる。次に、キーワード選択の項目２５ｂにカーソル２９を合わせて決定キー１３ｄを押圧操作する。
【００４０】
制御部１２はＫＤＢ１９ａからキーワード２７を読み出し、キーワード選択の表示画面１８ｃを表示させる。ユーザは所望のキーワード２７ａにカーソル３０を合わせ、決定キー１３ｄを押す（ｓｔ２）。
【００４１】
ＬＣＤ１８の表示が切り換わり、リマインダ設定の表示画面１８ａが表示されるから、メッセージ入力の項目２５ｃにカーソル２９を合わせて決定キー１３ｄを押圧操作する。メッセージ入力の表示画面１８ｄがＬＣＤ１８に表示されるから、キーワード２７ａに対応したメッセージ３４ａを入力欄３２に入力し、決定キー１３ｄを押す（ｓｔ３）。
【００４２】
ＬＣＤ１８の表示が切り換わり、リマインダ設定の表示画面１８ａが表示されるから、警報手段選択の項目２５ｄにカーソル２９を合わせて決定キー１３ｄを押圧操作する。警報手段３７を選択する警報選択欄３８が表示されるから、例えば「バイブレーション」の警報手段３７ａにカーソル４０を合わせ、決定キー１３ｄを押圧操作する（ｓｔ４）。
【００４３】
確認を促す表示画面１８ｆが表示されるから、これでよければ、もう一度決定キー１３ｄを押圧操作する（ｓｔ５）。これにより、ＬＣＤ１８の表示が通常の待ち受け画面に切り換わる。さらに別のキーワード２７を設定したい場合には（ｓｔ６）、リマインダ設定キー１３ｇを押圧操作して表示画面１８ａを表示させ、ステップ２からステップ５までのシーケンスを繰り返す。
【００４４】
表示画面１８ｆが表示された状態からやり直したい場合には、キャンセルキー１３ｅを押圧操作する。キャンセルキー１３ｅを押圧操作すると、これまでの設定がキャンセルされ、リマインダ設定の表示画面１８ａが表示されるから、キーワード選択（ｓｔ２）からやり直す。なお、表示画面１８ｂ〜１８ｆのいずれにおいてもキャンセルキー１３ｅを押圧操作すると、リマインダ設定の表示画面１８ａに戻る。
【００４５】
リマインダ設定が完了した後（ｓｔ６）、制御部１２は、ＧＰＳユニット２０から入力されるＧＰＳ情報と、設定した「○○銀行△△支店」のキーワード２７ａに対応する位置座標２９ａとを常に比較し、ＧＰＳ情報が位置座標２９ａに一致すると（ｓｔ７）、即座にバイブレータ１７を駆動して警報する（ｓｔ８）と同時に、ＭＤＢ１９ｂを参照してキーワード２７ａに対応づけられた「お金を引き出す」のメッセージ３４ａをＬＣＤ１８に表示する（ｓｔ９）。
【００４６】
これにより、ユーザは、「○○銀行△△支店」の近くで「お金を引き出す」という用事を思い出し、この用事を無事に済ますことができる。
【００４７】
本実施形態では、ＧＰＳ情報と予め設定された位置座標２９とが一致するか否かを判定するようにしたが、ＧＰＳ情報が、位置座標２９を含む所定エリアに入るか否かを判定するようにしてもよい。所定エリアは、キーワード２７に対応づけられた位置座標２９を中心とし、例えば、緯線方向に１０ｍ、経線方向に１０ｍ程度の矩形状をしたエリアとする。
【００４８】
キーワード２７を指定すると、これに対応づけられた位置座標２９がＫＤＢ１９ａにより設定された後、制御部１２は、設定された位置座標２９を中心として、緯線方向の両側へ５ｍずつ、経線方向の両側へ５ｍずつ、位置座標２９をシフトし、矩形の４つの頂点の位置座標２９を算出する。
【００４９】
制御部１２は、４つの位置座標２９からなるエリアデータの内側に現在地の位置データ（ＧＰＳ情報）が入るか否かを制御部１２が監視し、入ったと判定した場合に、バイブレータ１７を駆動すると同時に予め設定しておいたメッセージ３４をＬＣＤ１８に表示する。
【００５０】
また、これまで登録した全てのキーワード２７をキーワード選択の表示画面１８ｂにて表示したが、メモリ１９に記憶されている過去の行動履歴を参照し、例えば、最近１ヶ月間の行動履歴に含まれる範囲のキーワード２７のみを選択して表示するようにしてもよい。
【００５１】
次に、本発明の第２実施形態を示す図１１において、リマインダシステム５０は、携帯電話５１と、インターネット５２上のサーバ５３に設けられたキーワードデータベース（ＫＤＢ）５４とから構成される。すなわち、本実施形態では、ＫＤＢ５４は、携帯電話５１のメモリ５５にではなく、インターネット５２上のサーバ５３に設けられているため、１個のＫＤＢ５４を多数の人が共用することができる。なお、第１実施形態と同じ部材には、同じ符号を付し、説明を省略する。
【００５２】
ＫＤＢ５４は、図１２に示すように、１個のキーワード５７に対して、複数個の位置座標５８が対応づけられたデータベースであり、個人またはグループ（家族など）の各メンバーが異なる場所で同じキーワード５７を入力する作業を行なうことにより作成される。
【００５３】
ＫＤＢ５４は、例えば、「○○銀行  ＡＴＭ」という１個のキーワード５７ａに対して、「34.1N，138.1E」，「35.3N，139.2E」，「36.2N，142.3E」，「36.2N，144.4E」という４個の位置座標５８ａ〜５８ｄが対応づけられている。また、「書店」という１個のキーワード５７ｂに対して、「34.4N，116.5E」，「39.1N，147.4E」，「40.2N，111.3E」という３個の位置座標５８ｅ〜５８ｇが対応づけられている。
【００５４】
一方、携帯電話５１のメモリ５５には、図１３に示すようなＭＤＢ５５ａが設けられている。ＭＤＢ５５ａは、第１実施形態と同様に、予め登録してあるキーワード５７に対して任意のメッセージ５９を入力することにより作成される。
【００５５】
本実施形態では、例えば「○○銀行  ＡＴＭ」というキーワード５７ａに対して「お金を引き出す」というメッセージ５９ａが対応づけられ、「書店」というキーワード５７ｂに対して「書籍「特許入門」を購入する」というメッセージ５９ｂが対応づけられ、「コンビニ」というキーワード５７ｃに対して「電池を買う」というメッセージ５９ｃが対応づけられている。
【００５６】
携帯電話５１でのリマインダ設定の操作手順は、第１実施形態と同様である。まずリマインダ設定キー１３ｇを押圧操作して、リマインダ設定の表示画面１８ａを表示させる。次に、キーワード選択の項目２５ｂにカーソル２９を合わせて決定キー１３ｄを押圧操作する。
【００５７】
制御部１２は、通話／通信部１４に指令信号を出してサーバ５３のＫＤＢ５４にアクセスし、ＫＤＢ５４に登録されている全てのキーワード５７をダウンロードする。キーワード選択の表示画面１８ｃに表示された複数個のキーワード５７から所望のキーワード５７ａを選択する。
【００５８】
キーワード５７ａを選択すると、制御部１２は、サーバ５３のＫＤＢ５４からキーワード５７ａに対応づけられた位置座標５８ａ〜５８ｄをダウンロードしてメモリ５５に記憶する。この後、リマインダ設定の表示画面１８ａを表示されるから、メッセージ入力の項目２５ｃにカーソル２６を合わせて決定キー１３ｄを押圧操作する。
【００５９】
メッセージ入力の表示画面１８ｄがＬＣＤ１８に表示されるから、キーワード５７ａに対応するメッセージ５９ａを入力する。メッセージ５９ａが既にＭＤＢ５５ａに存在する場合には、メッセージ５９ａの最初の２文字を入力した時点でＭＤＢ５５ａから読み出されて入力欄３２に表示される。
【００６０】
表示画面１８ｄでメッセージ５９ａの入力が済んだ後、決定キー１３ｄを押圧操作すると、リマインダ設定の表示画面１８ａを表示されるから、警報手段選択の項目２５ｄにカーソル２６を合わせて決定キー１３ｄを押圧操作する。これにより、表示画面１８ｅが表示されるから、例えばバイブレーションの警報手段３７を選択する。
【００６１】
このようにリマインダ設定が完了した携帯電話５１を携帯していると、ＧＰＳユニット２０から入力されるＧＰＳ情報が４個の位置座標５８ａ〜５８ｄのいずれかに一致した時に、バイブレータ１７が駆動して振動を発すると同時に、ＬＣＤ１８にメッセージ５９ａが表示される。
【００６２】
このように本実施形態では、１個のキーワード５７を選択するだけで、対応する複数箇所の位置座標５８が設定されるので、用事を思い出させてくれるチャンスが多くなり、用事を済ますことがより確実にできる。
【００６３】
また、本実施形態においても、ＧＰＳ情報が位置座標５８と一致するか否かを判定するのではなく、ＧＰＳ情報が位置座標５８を含む所定エリアに入るか否かを判定するようにしてもよい。
【００６４】
なお、ＫＤＢ５４は、例えばインターネット５２上に公開されている既存のデータベースを利用できる。ただし、この場合、「○○銀行  ＡＴＭ」という１個のキーワード５７ａに対して、日本全国に存在する「○○銀行  ＡＴＭ」の全ての位置座標５８が対応づけられているから、指定される位置座標５８が膨大な数となってしまう。このため、制御部１２は、携帯電話５１の過去の行動履歴をメモリ５５に記憶しておき、これを参照して、過去の行動履歴の範囲内に存在する「○○銀行  ＡＴＭ」の位置座標５８のみをＫＤＢ５４からダウンロードする。
【００６５】
以上説明した実施形態では、バイブレーションを用いて警報したが、バイブレーションを駆動する代わりにビープ音や音楽を鳴らしてもよいし、またバイブレーションを駆動すると同時にビープ音や音楽を鳴らしてもよい。また、メッセージをＬＣＤに表示するだけでなく、音声で読み上げるようにしてもよい。
【図面の簡単な説明】
【００６６】
【図１】本発明の第１実施形態である携帯電話の概略的な構成を示すブロック図である。
【図２】携帯電話の外観とリマインダ設定のＬＣＤ表示画面の一例を示す説明図である。
【図３】ＫＤＢ作成のＬＣＤ表示画面の一例を示す説明図である。
【図４】第１実施形態でのＫＤＢの一例を示す説明図である。
【図５】キーワード選択のＬＣＤ表示画面の一例を示す説明図である。
【図６】メッセージ入力のＬＣＤ表示画面の一例を示す説明図である。
【図７】第１実施形態でのＭＤＢの一例を示す説明図である。
【図８】警報手段を設定するＬＣＤ表示画面の一例を示す説明図である。
【図９】確認を促すＬＣＤ表示画面の一例を示す説明図である。
【図１０】第１実施形態の主なシーケンスを示すフローチャートである。
【図１１】本発明の第２実施形態であるリマインダシステムの構成を示すブロック図である。
【図１２】第２実施形態でのＫＤＢの一例を示す説明図である。
【図１３】第２実施形態でのＭＤＢの一例を示す説明図である。
【符号の説明】
【００６７】
１０，５１  携帯電話
１２  制御部
１６  スピーカ
１７  バイブレータ
１８  ＬＣＤ
１９，５５  メモリ
１９ａ，５４  キーワードデータベース（ＫＤＢ）
１９ｂ，５５ａ  メッセージデータベース（ＭＤＢ）
２０  ＧＰＳユニット
２７，５７  キーワード
２９，５８  位置座標
３４，５９  メッセージ
３７  警報手段
５０  リマインダシステム
５３  サーバ
【図１】
2008193590.tif 000003
【図２】
2008193590.tif 000004
【図３】
2008193590.tif 000005
【図４】
2008193590.tif 000006
【図５】
2008193590.tif 000007
【図６】
2008193590.tif 000008
【図７】
2008193590.tif 000009
【図８】
2008193590.tif 000010
【図９】
2008193590.tif 000011
【図１０】
2008193590.tif 000012
【図１１】
2008193590.tif 000013
【図１２】
2008193590.tif 000014
【図１３】
2008193590.tif 000015